(57)【要約】【課題】簡単な操作で電話機玩具本来の遊びを広げることができ、年少者にも楽しむことができる電話機玩具を提案すること。【解決手段】ドットコードｂと該ドットコードｂを読み取る読み取り手段とから構成されるドットコード認識システムを有する電話機玩具において、上記読み取り手段をペン型のリーダー部６と、該リーダー部６で読み取ったドットコードｂに基づき記憶手段７に記憶された音声データを読み出して音声発生手段８に音声を出力させる制御手段９を備えた処理部１０とで構成し、処理部１０を内蔵した電話機玩具体１とリーダー部６とを有線又は無線で接続するとともに、上記ドットコードｂを絵本などのシート体３に印刷された絵柄等の視覚情報ａに重ねて印刷し、上記記憶手段７には上記視覚情報ａに関連した内容の音声データを記憶させた。【選択図】図１
2005034443.tif 000002
【特許請求の範囲】
【請求項１】
ドットコードと該ドットコードを読み取る読み取り手段とから構成されるドットコード認識システムを有する、以下の要件を備えることを特徴とする電話機玩具。
（イ）上記読み取り手段はペン型のリーダー部と、該リーダー部で読み取ったドットコードに基づき記憶手段に記憶された音声データを読み出して音声発生手段に音声を出力させる制御手段を備えた処理部とで構成され、該処理部は電話機玩具体に内蔵され、上記リーダー部と電話機玩具体とは有線又は無線で接続されていること
（ロ）上記ドットコードは絵本などのシート体に印刷された絵柄等の視覚情報に重ねて印刷され、該ドットコードは上記視覚情報に対応してドット構成が異なるように設定されていること
（ハ）上記記憶手段に記憶されている音声データは上記視覚情報に関連した内容の音声データであること
【請求項２】
前記記憶手段は前記ドットコードに関連した音声データを記憶したカートリッジで構成され、該カートリッジを前記電話機玩具体に着脱可能にした、請求項１記載の電話機玩具。
【請求項３】
以下の要件を備えることを特徴とする、請求項１又は２記載の電話機玩具。
（イ）前記ドットコードは赤外線を吸収するインクで容易に視認できない程度の大きさのドットで印刷され、前記絵本などのシート体の視覚情報は赤外線をほとんど吸収しないインクで印刷されていること
（ロ）前記リーダー部には前記シートに赤外線を照射する光源と、シート体で反射する反射光を取り込むセンサユニットとが設けてあること
【発明の詳細な説明】
【技術分野】
【０００１】
本発明は、電話機玩具、詳しくは電話機玩具体に接続されたリーダー部でドットコードを読み取り、読み取ったドットコードに関連した音声情報が受話器から出力するようにした電話機玩具に関するものである。
【背景技術】
【０００２】
従来の携帯電話機玩具には、番号ボタンを押して電話をかけると、番号に応じて音声を聞くことができるものや、呼び出し音が鳴ってから通話ボタンを押すと音声を聞くことができる玩具があるが、これらの携帯電話機玩具には、番号ボタンや通話ボタンを押すごとに所定の音声やメロディ音などが出力されるため、使用者はあたかも本物の携帯電話機を使っているように感じることができたが、遊びが限定されてしまうため、遊びの幅を広げた電話機玩具が提案されている（例えば、特許文献１）。
【０００３】
この電話機玩具は、動画を表示する画像表示部を備えるものであって、画像表示部に表示される動画を見ながら音声やメロディ音を聞くことができ、テレビ電話機のような楽しみ方ができるようになっているものである。
【特許文献１】特開２００１−１８７２８０号公報
【発明の開示】
【発明が解決しようとする課題】
【０００４】
本発明が解決しようとする問題点は、電話機玩具でさまざまな楽しみ方ができるようにするために様々な機能が付加され高機能化してきたが、機能が高まるごとに操作が複雑になり年少者には扱いづらくなる問題点があった。
【０００５】
本発明は、上記問題点を解決し、簡単な操作で電話機玩具本来の遊びを広げることができ、年少者にも楽しむことができる電話機玩具を提案することをその課題とする。
【課題を解決するための手段】
【０００６】
前記課題を解決するために本発明に係る電話機玩具は、ドットコードと該ドットコードを読み取る読み取り手段とから構成されるドットコード認識システムを有する、以下の要件を備えることを特徴とする。
（イ）上記読み取り手段はペン型のリーダー部と、該リーダー部で読み取ったドットコードに基づき記憶手段に記憶された音声データを読み出して音声発生手段に音声を出力させる制御手段を備えた処理部とで構成され、該処理部は電話機玩具体に内蔵され、上記リーダー部と電話機玩具体とは有線又は無線で接続されていること
（ロ）上記ドットコードは絵本などのシート体に印刷された絵柄等の視覚情報に重ねて印刷され、該ドットコードは上記視覚情報に対応してドット構成が異なるように設定されていこと
（ハ）上記記憶手段に記憶されている音声データは上記視覚情報に関連した内容の音声データであること
【０００７】
なお、前記記憶手段は前記ドットコードに関連した音声データを記憶したカートリッジで構成され、該カートリッジは前記電話機玩具体に着脱できるようにしても構わない。
【０００８】
また、前記電話機玩具は、以下の要件を備えるようにすることが好ましい。
（イ）前記ドットコードは赤外線を吸収するインクで容易に視認できない程度の大きさのドットで印刷され、前記絵本などのシート体の視覚情報は赤外線をほとんど吸収しないインクで印刷されていること
（ロ）前記リーダー部には前記シートに赤外線を照射する光源と、シート体で反射する反射光を取り込むセンサユニットとが設けてあること
【発明の効果】
【０００９】
請求項1の発明によれば、電話をしながらリーダー部でシート体に描かれた視覚情報にタッチすると、玩具本体に内蔵された処理部で視覚情報に関連する音声データが処理され音声として出力されるので、リーダー部でシート体の視覚情報にタッチするという簡単な操作で様々な相手のおしゃべりを聴くことができ、年少者にも楽しむことができる電話機玩具を提供することができる。
【００１０】
請求項２の発明によれば、記憶手段をカートリッジで構成し、このカートリッジを差しれ替えることができるようにしたので、新たなカートリッジで新たな喋りを楽しむことができる。
【００１１】
請求項３の発明によれば、ドットコードを赤外線を吸収するインクで容易に視認できない程度の大きさのドットで印刷するとともにカードの視覚情報は赤外線をほとんど吸収しないインクで印刷し、リーダー部にはカードに赤外線を照射する光源と、カード体で反射した反射光をセンサユニットで取り込むようにしたので、ドットコードが視覚的な邪魔にならず、しかも読取装置で確実に読み取ることができる。
【発明を実施するための最良の形態】
【００１２】
ドットコードと該ドットコードを読み取る読み取り手段とから構成されるドットコード認識システムを有する電話機玩具において、上記読み取り手段をペン型のリーダー部と、該リーダー部で読み取ったドットコードに基づき記憶手段に記憶された音声データを読み出して音声発生手段に音声を出力させる制御手段を備えた処理部とで構成し、処理部を内蔵した電話機玩具体とリーダー部とを有線又は無線で接続するとともに、上記ドットコードを絵本などのシート体に印刷された絵柄等の視覚情報に重ねて印刷し、上記記憶手段には上記視覚情報に関連した内容の音声データを記憶させた。
【実施例１】
【００１３】
図１は本発明に係る電話機玩具の一例を示し、この電話機玩具はドットコードと、このドットコードを読み取る読み取り手段とからなるドットコード認識システムを備えたもので、読み取り手段はペン型のリーダー部６と、リーダー部６で読み取ったドットコードに基づき記憶手段７に記憶された音声データを読み出して音声発生手段８に音声を出力させる制御手段９を備えた処理部１０とで構成され、リーダー部６と処理部１０とはケーブル１１で接続されるとともに、この処理部１０は電話機玩具体１に内蔵されており、ペン型のリーダー部６の先端をシート体３にタッチすると、タッチした部分の絵柄などの視覚情報ａに関連した音声を聞くことができるようになっているものである。
【００１４】
シート体３は電話帳を模して形成され、人物等の絵柄（視覚情報）ａとともにドットコードｂが印刷されている（図２参照）。このドットコードｂは、赤外線をほとんど吸収しないインク（例えば、基本の色インク、すなわちシアン、マゼンダ、イエローの組合せ）でカラー印刷された視覚情報ａの上に、赤外線を吸収するインク（例えば、カーボンインク）で印刷されている。
【００１５】
ドットコードｂは視覚上の邪魔にならないように容易に視認できないような小さなドット（０．５ミリ角内に６Ｘ６個）で構成され、このドットコードは上記視覚情報に対応してドット構成が異なるように設定されている。
【００１６】
このドットコードｂは、６Ｘ６の２次元マトリックスコードを１つのデータ単位とし、シート体３の上に２次元的に連続して印刷されているもので、ヘッダ情報ｂ１とデータ情報ｂ２とから構成され、ヘッダ情報ｂ１はドットコードｂを他のドットコードｂと切り分ける情報を備え、データ情報ｂ２は視覚情報ａを定義する情報が表示されているものである。
【００１７】
リーダー部６には赤外線を照射する光源１５と、導光体１６ａと一体に形成されたレンズ１６、フィルター１７、画像センサー１８及び、処理プログラムを内蔵したドットパターン認識ＣＰＵ１９とからなるセンサユニットとが収容され（図３参照）、光源１５から導光体１６ａを介してシート体３に照射された赤外線の一部はドットコードｂで吸収され、ドットコードｂのない部分に照射された赤外線は視覚情報ａに吸収されずに透過してシート体３で反射するので、反射光はレンズ１６で集光されフィルター１７を通して画像センサー１８に取り込まれ、取り込まれた画像はデジタル信号に変換され、デジタル信号はドットパターン認識ＣＰＵ１９でデータ情報ｂ２からドットコードが解析され、そのドットコードｂを構成するドットの組合せを数字コードに変換する。電話機玩具体１に内蔵された制御部であるプログラマブル音声合成ＣＰＵ９は数字コードに基づいてカートリッジ２１に内装された記憶手段７であるＲＯＭから音声データを読み出し、音声信号に変換して音声出力装置であるスピーカ８からドットコードｂ（視覚情報ａ）に関連する音声（例えば、「ハーイ、私はＸＸＸでーす。今日もよろしくね！」）を出力させるようになっている。
【００１８】
なお、電話機玩具体１には上記カートリッジ２１のプラグ２４を差し込むソケット２５が設けられ、カートリッジ２１を自由に交換することができるようになっているが、このカートリッジ２１は電話帳（シート体）３の内容に合わせでＲＯＭ７の内容が記述されており、電話帳３を新たに加えた場合は電話帳３に対応して音声データが作成されているカートリッジ２１に入れ替えればよい。
【００１９】
上記構成の電話機玩具によれば、電話機玩具体１のソケット２５にカートリッジ２１のプラグ２４を差込み、片方の手で電話機玩具体を保持し受話器部分を耳に当て、もう片方の手でリーダー部６をペンを持つようにして保持し、電話帳３に描かれている人物（視覚情報）ａにペン先を当てるようにリーダー部６の先端を電話帳３にタッチする。
【００２０】
リーダー部６の内部には赤外線を照射する光源１５が配置されているので、赤外線は電話帳３に照射され、赤外線の一部はドットコードｂで吸収され、ドットコードｂのない部分に照射された赤外線は視覚情報ａを透過してシート体３で反射し、反射光はレンズ１６、フィルター１７を通して画像センサー１８に取り込まれ、画像センサー１８でデジタル信号に変換され、変換されたデジタル信号はＣＰＵ１９でドットコードｂが認識され、ドットコードｂ（視覚情報ａ）に基づいてＣＰＵ９は音声データを記憶媒体（ＲＯＭ）７から読み出し、音声信号に変換してスピーカ８から視覚情報（人物）ａに関連する音声を出力させるので、恰も電話先の人のお喋りを聞いているようになり、電話帳に表示された人物を選んでリーダー部６でタッチすることにより、様々な人たちのお話を聞くことができる。
【００２１】
また、電話帳には人物だけではなく、動物や乗り物など様々な視覚情報を印刷し、この視覚情報に重ねてドットコードを印刷しておき、記憶媒体には動物や乗り物などの視覚情報に関連した音声データを作成しておけば、動物や乗り物に関する知識を耳から取得することができ、単なる電話遊びだけではなく、知的な興味にも対応することができる電話機玩具を実現することができる。
【産業上の利用可能性】
【００２２】
なお、上述の電話機玩具は、リーダー部６と処理部１０とはケーブル１１で接続されデータの送信を有線で行なっているが、リーダー部６に送信用ＩＣ、送信用赤外線ＬＥＤ、処理部１０にフォトダイオード、受信用ＩＣを付加して、無線でデータの送信を行なうことができるようにしてもよい。
【図面の簡単な説明】
【００２３】
【図１】本発明の電話機玩具の構成を説明する斜視図
【図２】ドットコードの説明図
【図３】上記電話機玩具のブロック図
【符号の説明】
【００２４】
１    電話機玩具体
３    シート体
６    リーダー部
７    記憶手段
８    音声発生手段
９    制御部
１０    処理部
ａ    視覚情報
ｂ    ドットコード
【図１】
2005034443.tif 000003
【図２】
2005034443.tif 000004
【図３】
2005034443.tif 000005